【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
コンテンツ推奨を生成する方法であって、
ユーザインタフェースにグラフィック表現が提示されるコンテンツのインスタンスから得られるメタデータの包含的部分および前記メタデータの除外的部分のランキングを取得することであって、前記メタデータは、前記ユーザインタフェースにおける前記グラフィック表現の位置に基づいてランク付けされる、取得することと、
前記メタデータの前記包含的部分および前記メタデータの前記除外的部分の前記ランキングに基づいてコンテンツ推奨を生成することと、
ユーザ入力に基づいてコンテンツの前記インスタンスからの前記メタデータを修正することと
を含む、方法。
【請求項２】
前記ユーザインタフェースを介して前記コンテンツ推奨を提示することをさらに含む、請求項１に記載の方法。
【請求項３】
前記提示されたコンテンツ推奨の選択を受信することに応答してコンテンツの要求されたインスタンスを提供することをさらに含む、請求項２に記載の方法。
【請求項４】
前記メタデータの前記包含的部分は、グラフィック表現が包含領域に位置するコンテンツの前記インスタンスの第１の数から得られ、および
前記メタデータの前記除外的部分は、グラフィック表現が除外領域に位置するコンテンツの前記インスタンスの第２の数から得られる、請求項１に記載の方法。
【請求項５】
前記メタデータの前記包含的部分および前記メタデータの前記除外的部分の前記ランキングは、
前記メタデータの前記包含的部分の第１のアイテムと関連付けられたコンテンツの第１のインスタンスのグラフィック表現が、前記メタデータの前記包含的部分の第２のアイテムと関連付けられたコンテンツの第２のインスタンスのグラフィック表現よりも方向に沿って前記包含領域の強い関係位置の近くに位置する場合に、前記メタデータの前記包含的部分の前記第２のアイテムより前記メタデータの前記包含的部分の前記第１のアイテムを高くランク付けするか、または
前記メタデータの前記除外的部分の第１のアイテムと関連付けられたコンテンツの第３のインスタンスのグラフィック表現が、前記メタデータの前記除外的部分の第２のアイテムと関連付けられたコンテンツの第４のインスタンスのグラフィック表現よりも前記方向に沿って前記除外領域の強い関係断絶位置の近くに位置する場合に、前記メタデータの前記除外的部分の前記第２のアイテムより前記メタデータの前記除外的部分の前記第１のアイテムを高くランク付けするか
の少なくとも１つである、請求項４に記載の方法。
【請求項６】
前記メタデータの前記包含的部分および前記メタデータの前記除外的部分の前記ランキングは、
コンテンツの第１のインスタンスのグラフィック表現がコンテンツの第２のインスタンスのグラフィック表現にそれほど近くない場合よりも、コンテンツの前記第１のインスタンスの前記グラフィック表現が、方向において前記包含領域の強い関係位置により近いコンテンツの前記第２のインスタンスの前記グラフィック表現に近い場合に、コンテンツの前記第１のインスタンスの前記グラフィック表現と関連付けられた前記メタデータの前記包含的部分のアイテムを高くランク付けするか、または
コンテンツの第３のインスタンスのグラフィック表現がコンテンツの第４のインスタンスのグラフィック表現にそれほど近くない場合よりも、コンテンツの前記第３のインスタンスの前記グラフィック表現が、前記方向において前記除外領域の強い関係断絶位置により近いコンテンツの前記第４のインスタンスの前記グラフィック表現に近い場合に、コンテンツの前記第３のインスタンスの前記グラフィック表現と関連付けられた前記メタデータの前記除外的部分のアイテムを高くランク付けするか
の少なくとも１つである、請求項４に記載の方法。
【請求項７】
前記メタデータの前記包含的部分および前記メタデータの前記除外的部分の前記ランキングは、コンテンツの複数のインスタンスのグラフィック表現が前記ユーザインタフェースの同じ位置に一緒にまとめられると、コンテンツの前記複数のインスタンスに共通するメタデータを単一のセットとして扱う、請求項１に記載の方法。
【請求項８】
ユーザ入力に応答して、前記ユーザインタフェースにコンテンツの前記インスタンスのうちの１つのグラフィック表現を配置することをさらに含む、請求項１に記載の方法。
【請求項９】
コンテンツの前記インスタンスのうちの前記１つの前記グラフィック表現は、前記ユーザインタフェースの利用可能なコンテンツ領域から選択されたものまたはユーザによって提供されたものである、請求項８に記載の方法。
【請求項１０】
少なくとも１つのプロセッサと、
前記プロセッサに結合される、命令を格納するメモリと
を含み、前記命令は、前記プロセッサによって実行されると、
ユーザインタフェースの包含領域に第１のグラフィック表現が提示されるコンテンツのインスタンスから得られるメタデータの包含的部分および前記ユーザインタフェースの除外領域に第２のグラフィック表現が提示されるコンテンツのインスタンスから得られる前記メタデータの除外的部分のランキングを取得することであって、前記メタデータは、前記ユーザインタフェースにおける前記第１および第２のグラフィック表現の位置に基づいてランク付けされる、取得することと、
前記包含的メタデータおよび前記除外的メタデータの前記ランキングに基づいてコンテンツ推奨を生成することと、
前記包含的メタデータおよび前記除外的メタデータの提示に対するユーザ応答に基づいて、前記包含的メタデータまたは前記除外的メタデータの少なくとも１つを修正することと
を含む、コンテンツ推奨を生成する方法を実行する、コンピューティングデバイス。
【請求項１１】
前記包含的メタデータおよび前記除外的メタデータの前記提示は、前記包含的メタデータおよび前記除外的メタデータをランク付けされた順番で提示する、請求項１０に記載のコンピューティングデバイス。
【請求項１２】
前記ランキングは、前記第１のグラフィック表現が前記包含領域に提示されるコンテンツのより少ない前記インスタンスに共通する前記包含的メタデータの第２のアイテムよりも、前記第１のグラフィック表現が前記包含領域に提示されるコンテンツのより多い前記インスタンスに共通する前記包含的メタデータの第１のアイテムをランク付けする、請求項１０に記載のコンピューティングデバイス。
【請求項１３】
前記コンテンツ推奨の前記生成は、ユーザが供給するメタデータにさらに基づく、請求項１０に記載のコンピューティングデバイス。
【請求項１４】
非一時的なコンピュータ可読記憶媒体で有形に具体化されるコンピュータプログラム製品であって、
ユーザインタフェースを提供するために処理ユニットによって実行可能である、前記非一時的なコンピュータ可読記憶媒体に格納された命令の第１のセットと、
ユーザから受信された入力に従ってコンテンツのインスタンスのグラフィック表現を前記ユーザインタフェースに配置するために前記処理ユニットによって実行可能である、前記非一時的なコンピュータ可読記憶媒体に格納された命令の第２のセットと、
コンテンツの前記インスタンスと関連付けられた包含的メタデータおよび除外的メタデータのランキングに基づいてコンテンツ推奨を生成するために前記処理ユニットによって実行可能である、前記非一時的なコンピュータ可読記憶媒体に格納された命令の第３のセットであって、前記ランキングは、前記ユーザインタフェースにおける前記グラフィック表現の前記位置に基づいて決定され、前記包含的メタデータおよび前記除外的メタデータは、コンテンツのカテゴリを含む、命令の第３のセットと
を含む、コンピュータプログラム製品。
【請求項１５】
メタデータのアイテムの前記ランキングは、第１の方向に沿ったコンテンツの前記インスタンスのうちのコンテンツのインスタンスのグラフィック表現の場所に関連する、請求項１４に記載のコンピュータプログラム製品。
【請求項１６】
コンテンツの２つのインスタンスに共通しないメタデータのセットは、コンテンツの前記２つのインスタンスに対するグラフィック表現が前記第１の方向に垂直な第２の方向に沿って配置されると、コンテンツの単一のインスタンスに対するメタデータとして扱われる、請求項１５に記載のコンピュータプログラム製品。
【請求項１７】
前記ユーザから受信された追加の入力に応答して前記ユーザインタフェースを修正した後、追加のコンテンツ推奨を生成するために前記処理ユニットによって実行可能である、前記非一時的なコンピュータ可読記憶媒体に格納された命令の第４のセットをさらに含む、請求項１４に記載のコンピュータプログラム製品。
【請求項１８】
第１の表示パネル領域、第２の表示パネル領域および第３の表示パネル領域を有する表示デバイスと、
それぞれが関連付けられたメタデータを有する対応するコンテンツを表す、ユーザが選択した画像表現の少なくとも第１の対を前記第１の表示パネル領域に表示するように構成されたプロセッサと
を含み、前記プロセッサは、関連付けられたメタデータを有するコンテンツを表す第２の画像表現を前記第２の表示パネル領域に表示するようにさらに構成され、かつ前記プロセッサは、関連付けられたメタデータを有する推奨コンテンツを表す少なくとも第３の画像表現を前記第３の表示パネル領域に表示するようにさらに構成され、前記少なくとも第３の画像表現と関連付けられた前記メタデータは、前記第１および第２の表示パネル領域のうちの一方に表示された所定の画像表現と関連付けられた包含的メタデータのその中への包含を強化するように選択され、
前記少なくとも第３の画像表現と関連付けられた前記メタデータは、前記第１および第２の表示パネル領域のうちの他方に表示された所定の画像表現と関連付けられた除外的メタデータのそこからの除外を強化するように選択され、かつ前記少なくとも第３の画像表現と関連付けられた前記メタデータは、前記第１の表示パネル領域内の前記少なくとも画像表現の対の提示の順番に従って、前記少なくとも画像表現の対と関連付けられた前記適用可能な包含的メタデータ包含および除外的メタデータ除外を強化するように選択され、ユーザ入力に応答して、前記プロセッサは、リストに含まれるものから前記リストから除外されるものに、およびその逆にメタデータの個々のカテゴリを変更するように構成され、前記少なくとも第３の画像表現と関連付けられた少なくとも前記メタデータは、前記変更されたリストに従って選択される、ユーザインタフェース。
【請求項１９】
前記プロセッサは、前記第２の画像を含むユーザが選択した画像表現の少なくとも第２の対を前記第２の表示パネル領域に表示するように構成され、前記少なくとも第３の画像表現と関連付けられた前記メタデータは、前記第２の表示パネル領域内の画像表現の前記少なくとも第２の対の提示の順番に従って、画像表現の前記少なくとも第２の対と関連付けられた前記適用可能なその中への包含的メタデータ包含およびそこからの除外的メタデータ除外を強化するように選択される、請求項１８に記載のユーザインタフェース。
【請求項２０】
前記プロセッサは、前記包含的メタデータおよび前記除外的メタデータのリストを前記表示パネルの第４の領域に表示するように構成される、請求項１８に記載のユーザインタフェース。
【請求項２１】
前記プロセッサは、複数の画像表現を前記表示パネルの第４の領域に表示するように構成され、かつユーザ入力に応答して、前記プロセッサは、前記少なくとも第３の画像表現と関連付けられた前記メタデータの変更をもたらすドラッグ方法で前記複数の画像表現のうちの１つの少なくともコピーを前記第４の領域から前記第１および第２の領域のうちの１つに移動するように構成される、請求項１８に記載のユーザインタフェース。
【請求項２２】
前記少なくとも第３の画像表現と関連付けられた前記メタデータは、前記第１の表示パネル領域内に表示された前記少なくとも画像表現の対におけるメタデータの同一のカテゴリの発生の合計に従って、前記少なくとも画像表現の対と関連付けられた前記適用可能な包含的メタデータ包含および除外的メタデータ除外をさらに強化するように選択される、請求項１８に記載のユーザインタフェース。
【手続補正２】
【補正対象書類名】明細書
【補正対象項目名】００６４
【補正方法】変更
【補正の内容】
【００６４】
本明細書では、本開示の教示を組み込む実施形態が詳細に示され説明されているが、当業者は、これらの教示を依然として組み込む他の多くの多様な実施形態を容易に考案することができる。コンテンツ検索のためのシステム、方法およびユーザインタフェースの好ましい実施形態について説明してきたが（それらは例示を意図し、限定することを意図しない）、上記の教示を踏まえて、当業者によって変更形態および変形形態がなされ得ることに留意されたい。従って、開示される本開示の特定の実施形態において変更形態がなされ得、添付の請求項によって概説されるように、それらは本開示の範囲内であることを理解されたい。
上記実施形態の一部又は全部は、以下の付記のようにも記載されうるが、以下には限られない。
（付記１）
コンテンツ推奨を生成する方法であって、
コンピューティングデバイスを利用して、ユーザインタフェースにグラフィック表現が提示されるコンテンツのインスタンスから得られるメタデータの包含的部分および前記メタデータの除外的部分のランキングを取得することであって、前記メタデータは、前記ユーザインタフェースにおける前記グラフィック表現の位置に基づいてランク付けされる、取得することと、
前記コンピューティングデバイスを利用して、前記メタデータの前記包含的部分および前記メタデータの前記除外的部分の前記ランキングに基づいてコンテンツ推奨を生成することと
を含む、方法。
（付記２）
前記ユーザインタフェースを介して前記コンテンツ推奨を提示することをさらに含む、付記１に記載の方法。
（付記３）
前記提示されたコンテンツ推奨の選択を受信することに応答してコンテンツの要求されたインスタンスを提供することをさらに含む、付記２に記載の方法。
（付記４）
前記メタデータの前記包含的部分は、グラフィック表現が包含領域に位置するコンテンツの前記インスタンスの第１の数から得られ、および
前記メタデータの前記除外的部分は、グラフィック表現が除外領域に位置するコンテンツの前記インスタンスの第２の数から得られる、付記１に記載の方法。
（付記５）
前記メタデータの前記包含的部分および前記メタデータの前記除外的部分の前記ランキングは、
前記メタデータの前記包含的部分の第１のアイテムと関連付けられたコンテンツの第１のインスタンスのグラフィック表現が、前記メタデータの前記包含的部分の第２のアイテムと関連付けられたコンテンツの第２のインスタンスのグラフィック表現よりも方向に沿って前記包含領域の強い関係位置の近くに位置する場合に、前記メタデータの前記包含的部分の前記第２のアイテムより前記メタデータの前記包含的部分の前記第１のアイテムを高くランク付けするか、または
前記メタデータの前記除外的部分の第１のアイテムと関連付けられたコンテンツの第３のインスタンスのグラフィック表現が、前記メタデータの前記除外的部分の第２のアイテムと関連付けられたコンテンツの第４のインスタンスのグラフィック表現よりも前記方向に沿って前記除外領域の強い関係断絶位置の近くに位置する場合に、前記メタデータの前記除外的部分の前記第２のアイテムより前記メタデータの前記除外的部分の前記第１のアイテムを高くランク付けするか
の少なくとも１つである、付記４に記載の方法。
（付記６）
前記メタデータの前記包含的部分および前記メタデータの前記除外的部分の前記ランキングは、
コンテンツの第１のインスタンスのグラフィック表現がコンテンツの第２のインスタンスのグラフィック表現にそれほど近くない場合よりも、コンテンツの前記第１のインスタンスの前記グラフィック表現が、方向において前記包含領域の強い関係位置により近いコンテンツの前記第２のインスタンスの前記グラフィック表現に近い場合に、コンテンツの前記第１のインスタンスの前記グラフィック表現と関連付けられた前記メタデータの前記包含的部分のアイテムを高くランク付けするか、または
コンテンツの第３のインスタンスのグラフィック表現がコンテンツの第４のインスタンスのグラフィック表現にそれほど近くない場合よりも、コンテンツの前記第３のインスタンスの前記グラフィック表現が、前記方向において前記除外領域の強い関係断絶位置により近いコンテンツの前記第４のインスタンスの前記グラフィック表現に近い場合に、コンテンツの前記第３のインスタンスの前記グラフィック表現と関連付けられた前記メタデータの前記除外的部分のアイテムを高くランク付けするか
の少なくとも１つである、付記４に記載の方法。
（付記７）
前記メタデータの前記包含的部分および前記メタデータの前記除外的部分の前記ランキングは、コンテンツの複数のインスタンスのグラフィック表現が前記ユーザインタフェースの同じ位置に一緒にまとめられると、コンテンツの前記複数のインスタンスに共通するメタデータを単一のセットとして扱う、付記１に記載の方法。
（付記８）
ユーザ入力に応答して、前記ユーザインタフェースにコンテンツの前記インスタンスのうちの１つのグラフィック表現を配置することをさらに含む、付記１に記載の方法。
（付記９）
コンテンツの前記インスタンスのうちの前記１つの前記グラフィック表現は、前記ユーザインタフェースの利用可能なコンテンツ領域から選択されたものまたはユーザによって提供されたものである、付記８に記載の方法。
（付記１０）
ユーザ入力に基づいてコンテンツの前記インスタンスからの前記メタデータを修正することをさらに含む、付記１に記載の方法。
（付記１１）
プロセッサと、
前記少なくとも１つのプロセッサに結合される、命令を格納するメモリと
を含み、前記命令は、前記プロセッサによって実行されると、
ユーザインタフェースの包含領域に第１のグラフィック表現が提示されるコンテンツのインスタンスから得られるメタデータの包含的部分と、前記ユーザインタフェースの除外領域に第２のグラフィック表現が提示されるコンテンツのインスタンスから得られる前記メタデータの除外的部分とのランキングを取得することであって、前記メタデータは、前記ユーザインタフェースにおける前記第１および第２のグラフィック表現の位置に基づいてランク付けされる、取得することと、
前記包含的メタデータおよび前記除外的メタデータの前記ランキングに基づいてコンテンツ推奨を生成することと
を含む、コンテンツ推奨を生成する方法を実行する、コンピューティングデバイス。
（付記１２）
前記方法は、前記包含的メタデータおよび前記除外的メタデータの提示に対するユーザ応答に基づいて、前記包含的メタデータまたは前記除外的メタデータの少なくとも１つを修正することをさらに含む、付記１１に記載のコンピューティングデバイス。
（付記１３）
前記包含的メタデータおよび前記除外的メタデータの前記提示は、前記包含的メタデータおよび前記除外的メタデータをランク付けされた順番で提示する、付記１２に記載のコンピューティングデバイス。
（付記１４）
前記ランキングは、前記第１のグラフィック表現が前記包含領域に提示されるコンテンツのより少ない前記インスタンスに共通する前記包含的メタデータの第２のアイテムよりも、前記第１のグラフィック表現が前記包含領域に提示されるコンテンツのより多い前記インスタンスに共通する前記包含的メタデータの第１のアイテムをランク付けする、付記１１に記載のコンピューティングデバイス。
（付記１５）
前記コンテンツ推奨の前記生成は、ユーザが供給するメタデータにさらに基づく、付記１１に記載のコンピューティングデバイス。
（付記１６）
非一時的なコンピュータ可読記憶媒体で有形に具体化されるコンピュータプログラム製品であって、
ユーザインタフェースを提供するために処理ユニットによって実行可能である、前記非一時的なコンピュータ可読記憶媒体に格納された命令の第１のセットと、
ユーザから受信された入力に従ってコンテンツのインスタンスのグラフィック表現を前記ユーザインタフェースに配置するために前記処理ユニットによって実行可能である、前記非一時的なコンピュータ可読記憶媒体に格納された命令の第２のセットと、
コンテンツの前記インスタンスと関連付けられた包含的メタデータおよび除外的メタデータのランキングに基づいてコンテンツ推奨を生成するために前記処理ユニットによって実行可能である、前記非一時的なコンピュータ可読記憶媒体に格納された命令の第３のセットであって、前記ランキングは、前記ユーザインタフェースにおける前記グラフィック表現の前記位置に基づいて決定される、命令の第３のセットと
を含む、コンピュータプログラム製品。
（付記１７）
メタデータのアイテムの前記ランキングは、第１の方向に沿ったコンテンツの前記インスタンスのうちのコンテンツのインスタンスのグラフィック表現の場所に関連する、付記１６に記載のコンピュータプログラム製品。
（付記１８）
コンテンツの２つのインスタンスに共通しないメタデータのセットは、コンテンツの前記２つのインスタンスに対するグラフィック表現が前記第１の方向に垂直な第２の方向に沿って配置されると、コンテンツの単一のインスタンスに対するメタデータとして扱われる、付記１７に記載のコンピュータプログラム製品。
（付記１９）
前記包含的メタデータおよび除外的メタデータは、コンテンツのカテゴリを含む、付記１６に記載のコンピュータプログラム製品。
（付記２０）
前記ユーザから受信された追加の入力に応答して前記ユーザインタフェースを修正した後、追加のコンテンツ推奨を生成するために前記処理ユニットによって実行可能である、前記非一時的なコンピュータ可読記憶媒体に格納された命令の第４のセットをさらに含む、付記１６に記載のコンピュータプログラム製品。
（付記２１）
第１の表示パネル領域、第２の表示パネル領域および第３の表示パネル領域を有する表示デバイスと、
それぞれが関連付けられたメタデータを有する対応するコンテンツを表す、ユーザが選択した画像表現の少なくとも第１の対を前記第１の表示パネル領域に表示するように構成されたプロセッサと
を含み、前記プロセッサは、関連付けられたメタデータを有するコンテンツを表す第２の画像表現を前記第２の表示パネル領域に表示するようにさらに構成され、かつ前記プロセッサは、関連付けられたメタデータを有する推奨コンテンツを表す少なくとも第３の画像表現を前記第３の表示パネル領域に表示するようにさらに構成され、前記少なくとも第３の画像表現と関連付けられた前記メタデータは、前記第１および第２の表示パネル領域のうちの一方に表示された所定の画像表現と関連付けられた包含的メタデータのその中への包含を強化するように選択され、前記少なくとも第３の画像表現と関連付けられた前記メタデータは、前記第１および第２の表示パネル領域のうちの他方に表示された所定の画像表現と関連付けられた除外的メタデータのそこからの除外を強化するように選択され、および
前記少なくとも第３の画像表現と関連付けられた前記メタデータは、前記第１の表示パネル領域内の前記少なくとも画像表現の対の提示の順番に従って、前記少なくとも画像表現の対と関連付けられた前記適用可能な包含的メタデータ包含および除外的メタデータ除外を強化するように選択される、ユーザインタフェース。
（付記２２）
前記プロセッサは、前記第２の画像を含むユーザが選択した画像表現の少なくとも第２の対を前記第２の表示パネル領域に表示するように構成され、前記少なくとも第３の画像表現と関連付けられた前記メタデータは、前記第２の表示パネル領域内の画像表現の前記少なくとも第２の対の提示の順番に従って、画像表現の前記少なくとも第２の対と関連付けられた前記適用可能なその中への包含的メタデータ包含およびそこからの除外的メタデータ除外を強化するように選択される、付記２１に記載のユーザインタフェース。
（付記２３）
前記プロセッサは、前記包含的メタデータおよび前記除外的メタデータのリストを前記表示パネルの第４の領域に表示するように構成され、ユーザ入力に応答して、前記プロセッサは、前記リストに含まれるものから前記リストから除外されるものに、およびその逆にメタデータの個々のカテゴリを変更するように構成され、前記少なくとも第３の画像表現と関連付けられた前記少なくとも前記メタデータは、前記変更されたリストに従って選択される、付記２１に記載のユーザインタフェース。
（付記２４）
前記プロセッサは、複数の画像表現を前記表示パネルの第４の領域に表示するように構成され、かつユーザ入力に応答して、前記プロセッサは、前記少なくとも第３の画像表現と関連付けられた前記メタデータの変更をもたらすドラッグ方法で前記複数の画像表現のうちの１つの少なくともコピーを前記第４の領域から前記第１および第２の領域のうちの１つに移動するように構成される、付記２１に記載のユーザインタフェース。
（付記２５）
前記少なくとも第３の画像表現と関連付けられた前記メタデータは、前記第１の表示パネル領域内に表示された前記少なくとも画像表現の対におけるメタデータの同一のカテゴリの発生の合計に従って、前記少なくとも画像表現の対と関連付けられた前記適用可能な包含的メタデータ包含および除外的メタデータ除外をさらに強化するように選択される、付記２１に記載のユーザインタフェース。